Podtech/llm-jp-corpus-v4-ja_patent huggingface dataset:
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
表示領域に、上層、中間層及び下層の三層構造からなる複数の画素電極を有し、
前記上層及び下層は、それぞれ、酸化インジウムスズ又は酸化インジウム亜鉛からなり、
前記中間層は、銀からなり、
前記中間層の周縁は、前記下層の周縁を超えないようになっており、
前記上層は、前記中間層の全体を覆って少なくとも前記下層の前記周縁に至り、前記中間層の周端面に接触し、前記中間層の周囲で前記下層に接触していることを特徴とする表示装置。
【請求項２】
請求項１に記載された表示装置において、
前記上層は、前記下層の周端面に接触していることを特徴とする表示装置。
【請求項３】
請求項１又は２に記載された表示装置において、
前記上層は、前記下層の前記周端を超えるように拡がることを特徴とする表示装置。
【請求項４】
請求項１から３のいずれか１項に記載された表示装置において、
前記下層の上面の一部は、前記中間層から露出し、
前記上層は、前記下層の前記上面の前記一部に接触していることを特徴とする表示装置。
【請求項５】
請求項１から４のいずれか１項に記載された表示装置において、
前記複数の画素電極のそれぞれの周縁部を覆う絶縁層と、
前記複数の画素電極に載る発光層と、
前記発光層に載る対向電極と、
をさらに有することを特徴とする表示装置。
【請求項６】
請求項１から５のいずれか１項に記載された表示装置において、
前記表示領域の外側に、複数の外部端子をさらに有し、
前記複数の外部端子のそれぞれの最上層は、前記上層と同じ材料からなることを特徴とする表示装置。
【請求項７】
酸化インジウムスズ又は酸化インジウム亜鉛によって第１導電膜を形成する工程と、
銀によって第２導電膜を前記第１導電膜に積層する工程と、
前記第１導電膜及び前記第２導電膜の一括エッチングによって、複数の画素電極のそれぞれの下層及び中間層を、前記中間層の周縁が前記下層の周縁を超えないように形成する工程と、
前記酸化インジウムスズ又は前記酸化インジウム亜鉛によって第３導電膜を前記下層及び前記中間層に積層する工程と、
前記第３導電膜のエッチングによって、前記複数の画素電極のそれぞれの上層を形成する工程と、
を含み、
前記上層は、前記中間層の全体を覆って少なくとも前記下層の前記周縁に至り、前記中間層の周端面に接触し、前記中間層の周囲で前記下層に接触するように形成することを特徴とする表示装置の製造方法。
【請求項８】
請求項７に記載された表示装置の製造方法において、
前記中間層は、前記下層の上面の一部が露出するように形成され、
前記上層は、前記下層の前記上面の前記一部に接触するように設けられることを特徴とする表示装置の製造方法。
【請求項９】
請求項７又は８に記載された表示装置の製造方法において、
前記一括エッチングは、リン酸、硝酸及び酢酸の混酸を使用するウェットエッチングであることを特徴とする表示装置の製造方法。
【請求項１０】
請求項７から９のいずれか１項に記載された表示装置の製造方法において、
前記第３導電膜の前記エッチングは、シュウ酸を使用するウェットエッチングであることを特徴とする表示装置の製造方法。
【請求項１１】
請求項７から１０のいずれか１項に記載された表示装置の製造方法において、
前記上層を形成する工程後に、
前記複数の画素電極のそれぞれの周縁部を覆うように絶縁層を形成する工程と、
前記複数の画素電極に載るように発光層を形成する工程と、
前記発光層に載るように対向電極を形成する工程と、
をさらに含むことを特徴とする表示装置の製造方法。
【請求項１２】
請求項７から１１のいずれか１項に記載された表示装置の製造方法において、
前記第１導電膜を形成する工程前に、複数の外部端子のそれぞれの少なくとも最上層を除くベース層を形成する工程をさらに含み、
前記第３導電膜を積層する工程で、前記第３導電膜を前記ベース層に積層し、
前記複数の画素電極のそれぞれの前記上層を形成する工程で、前記第３導電膜の前記エッチングによって、前記複数の外部端子のそれぞれの前記最上層を形成することを特徴とする表示装置の製造方法。
【請求項１３】
請求項１２に記載された表示装置の製造方法において、
前記ベース層を形成する工程で、前記ベース層を、少なくとも１層のチタン膜又はチタン膜及びアルミニウムの積層で形成することを特徴とする表示装置の製造方法。
【手続補正書】
【提出日】令和2年2月11日(2020.2.11)
【手続補正１】
【補正対象書類名】特許請求の範囲
【補正対象項目名】全文
【補正方法】変更
【補正の内容】
【特許請求の範囲】
【請求項１】
ビジョンシステムプロセッサで実行時画像の１以上の候補ポーズの分析に使用する訓練されたプローブを採点するための方法であって、
訓練されたモデルに基づく位置と勾配方向を有するプローブのセットを提供するステップと、
実行時画像に基づく１以上の候補ポーズを提供し、プローブを少なくとも１つの候補ポーズに適用するステップであって、適用されたプローブは各々がそれぞれ勾配方向を基準にした位置オフセットの離散的セットを含む、前記ステップと、
各々のプローブについてマッチスコアを計算し、それぞれプローブのオフセットの１つと相対的に各々のプローブについて最良マッチスコアを推定することを含み、それぞれ推定された最良マッチスコアで各々のプローブについて個々のプローブスコアのセットを生成するステップと、を含む方法。
【請求項２】
プローブのセットは、訓練ステップにおいて訓練されたモデルを表わす位置と方向で生成される、請求項１に記載の方法。
【請求項３】
更に、個々のプローブスコアの加重和又は積である合計スコアを計算し、合計スコアの計算は（ａ）プローブスコアが生成されるのと同時に動作するか、又は（ｂ）プローブスコアの一部又は全部が生成された後に動作することを含む、請求項１に記載の方法。
【請求項４】
更に、合計スコアに基づいてモデルと実行時画像との間の最良アライメントマッチを選択することを含む、請求項３に記載の方法。
【請求項５】
更に、適用のステップの前に各々の候補ポーズを基準にしてプローブのセットを事前登録することを含む、請求項１に記載の方法。
【請求項６】
更に、適用のステップの前に各々のプローブが適用される各位置について勾配を計算することを含む、請求項１に記載の方法。
【請求項７】
更に、各々のプローブが適用される各位置について勾配ベクトルを
（ａ）当該位置を包含する勾配場ピクセルを決定して、この勾配場ピクセルに対応する勾配ベクトルを使用するか、
（ｂ）当該位置を基準にして隣接する勾配場の値のサブピクセル補間を実行するか、
（ｃ）当該位置に最も近い位置にある画像ピクセルのセットを決定して、ＸカーネルとＹカーネルを適用して全体ピクセル勾配を計算するか、あるいは
（ｄ）当該位置を中心とした全体ピクセル勾配の近傍についてＸ勾配とＹ勾配を決定して、当該位置を基準にして隣接する勾配場の値のサブピクセル補間を実行するか、
のいずれか１つによって計算することを含む、請求項６に記載の方法。
【請求項８】
更に、各々のプローブの少なくとも１つの方向ベクトルの大きさと、各々のプローブの勾配方向ベクトルを正規化することを含む、請求項１に記載の方法。
【請求項９】
正規化のステップは、
（ａ）方向ベクトルの大きさを所定の大きさに正規化すること、又は
（ｂ）方向ベクトルの大きさをその未処理の大きさの所定の関数である大きさに正規化すること、
のいずれか１つを含む、請求項８に記載の方法。
【請求項１０】
更に、訓練段階で各々のプローブの方向ベクトルの大きさを正規化することを含む、請求項８に記載の方法。
【請求項１１】
実行時画像に適用されるプローブの位置は、
（ａ）各々のプローブの方向ベクトルを１．０の大きさに正規化すること、及び
（ｂ）オフセット位置を正規化されたプローブ方向ベクトルの所定の倍数として計算すること、によって決定される、請求項８に記載の方法。
【請求項１２】
更に、オフセットをそれぞれ各々の方向ベクトルに対して垂直の方向で計算することを含む、請求項１１に記載の方法。
【請求項１３】
計算のステップは、各々のプローブのそれぞれの位置で各々のプローブの方向と実行時画像の勾配ベクトルとのドット積を実行することを含む、請求項１に記載の方法。
【請求項１４】
更に、プローブの１以上のベクトルの大きさを正規化関数に基づいて正規化することを含む、請求項１に記載の方法。
【請求項１５】
ビジョンシステムプロセッサで実行時画像の１以上の候補ポーズの分析に使用する訓練されたプローブを採点するためのシステムであって、
画像データの訓練されたモデルに基づく位置と勾配方向を有するプローブのセットを受け取り、実行時画像に基づく１以上の候補ポーズを提供し、プローブを少なくとも１つの候補ポーズに適用し、適用されたプローブは各々それぞれの勾配方向を基準にした位置オフセットの離散的セットを含んでいる採点プロセスと、
各々のプローブについてマッチスコアを計算し、それぞれのオフセットの１つと相対的に各々のプローブについて最良マッチスコアの推定を含み、それぞれ推定された最良マッチスコアで各々のプローブについて個々のプローブスコアのセットを生成することを含むアライメントプロセスと、を有する上記システム。
【請求項１６】
プローブのセットが訓練段階で訓練されたモデルを表わす位置と方向で生成される請求項１５に記載のシステム。
【請求項１７】
ビジョンシステムプロセッサで実行時画像の１以上の候補ポーズの分析に使用する訓練されたプローブを採点するための方法であって、
訓練されたモデルに基づく位置と勾配方向を有するプローブのセットを提供するステップと、
実行時画像に基づく１以上の候補ポーズを提供し、プローブを少なくとも１つの候補ポーズに適用するステップであって、適用されたプローブは各々がそれぞれ勾配方向を基準にした位置オフセットの離散的セットを含む、前記ステップと、
前記位置オフセットの離散的セットの１つに関連付けられる最良マッチスコアに対して相対的に各々のプローブについてマッチスコアを計算するステップと、
を含む方法。
【請求項１８】
ビジョンシステムプロセッサで実行時画像の１以上の候補ポーズの分析に使用する訓練されたプローブを採点するためのシステムであって、
画像データの訓練されたモデルに基づく位置と勾配方向を有するプローブのセットを受け取り、実行時画像に基づく１以上の候補ポーズを提供し、プローブを少なくとも１つの候補ポーズに適用し、適用されたプローブは各々それぞれの勾配方向を基準にした位置オフセットの離散的セットを含んでいる採点プロセスと、
前記位置オフセットの離散的セットの１つに関連付けられる最良マッチスコアに対して相対的に各々のプローブについてマッチスコアを計算するアライメントプロセスと、
を有する上記システム。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
暗号化された映像情報を含むシステムストリームファイルを再生する再生装置による再生方法であって、
前記再生装置は、
前記再生装置が個別に有する第１の復号鍵と、
前記再生装置が他の再生装置と共通して有する第２の復号鍵と、を有し、
前記システムストリームファイルには、
前記第１の復号鍵および前記第２の復号鍵の両方を用いて再生できる第１のシステムストリームファイルと、
前記第２の復号鍵のみを用いて再生できる第２のシステムストリームファイルと、の少なくとも２つの種類があり、
前記再生方法は、
前記システムストリームファイルの拡張子に応じて、再生する前記システムストリームファイルが前記第１のシステムストリームファイルであるか、前記第２のシステムストリームファイルであるかを判定し、
前記判定の結果に基づいて、前記システムストリームファイルの変換処理の有無を選択する、
再生方法。
【請求項２】
暗号化された映像情報を含むシステムストリームファイルを再生する再生装置であって、
前記システムストリームファイルには、
前記再生装置が個別に有する第１の復号鍵、および前記再生装置が他の再生装置と共通して有する第２の復号鍵の両方を用いて再生できる第１のシステムストリームファイルと、
前記第２の復号鍵のみを用いて再生できる第２のシステムストリームファイルと、の少なくとも２つの種類があり、
当該再生装置は、
前記システムストリームファイルの拡張子に応じて、再生する前記システムストリームファイルが前記第１のシステムストリームファイルであるか、前記第２のシステムストリームファイルであるかを判定する判定部と、
前記判定の結果に基づいて、前記システムストリームファイルの変換処理の有無を切り替えるスイッチと、を備える、
再生装置。
【手続補正書】
【提出日】令和2年4月2日(2020.4.2)
【手続補正１】
【補正対象書類名】明細書
【補正対象項目名】００１３
【補正方法】変更
【補正の内容】
【００１３】
上記の構成によれば、治具の第１突部が受け入れ凹部内に挿入されると、第１突部はリテーナ収容凹部内へも挿入されるようになっている。これにより、治具の第１当接部を受け入れ凹部に挿入するという簡易な操作により、リテーナ収容凹部内に収容されたリテーナの第１突部と当接させることができる。
【手続補正２】
【補正対象書類名】明細書
【補正対象項目名】００２９
【補正方法】変更
【補正の内容】
【００２９】
【図１】実施形態１に係るコネクタを示す斜視図
【図２】リテーナが本係止位置に取り付けられたコネクタを示す正面図
【図３】リテーナが本係止位置に取り付けられたコネクタを示す背面図
【図４】リテーナが本係止位置に取り付けられたコネクタを示す底面図
【図５】リテーナが仮係止位置に取り付けられたコネクタを示す正面図
【図６】リテーナが仮係止位置に取り付けられたコネクタを示す背面図
【図７】リテーナを示す斜視図
【図８】リテーナを示す正面図
【図９】リテーナを示す背面図
【図１０】リテーナの係止受け部がコネクタハウジングの本係止部に係止した状態を示す断面図
【図１１】リテーナの係止受け部がコネクタハウジングの仮係止部に係止した状態を示す断面図
【図１２】治具を示す正面図
【図１３】治具の第１突部を示す断面図
【図１４】治具のガイドリブを示す断面図
【図１５】治具の第２突部を示す断面図
【図１６】コネクタ収容凹部内に、リテーナが本係止位置に取り付けられたコネクタハウジングを挿入する工程を示す断面図
【図１７】コネクタ収容凹部内に、リテーナが本係止位置に取り付けられたコネクタハウジングを挿入する工程であって、図１６とは異なる断面を示す断面図
【図１８】コネクタ収容凹部内にコネクタハウジングが収容されて、リテーナが仮係止位置に移動した状態を示す断面図
【図１９】コネクタハウジングに雌端子が挿入された状態を示す断面図
【図２０】コネクタハウジングに雌端子が挿入された状態であって、図１９とは異なる断面を示す断面図
【図２１】コネクタハウジングをコネクタ収容凹部から引き抜く工程を示す断面図
【図２２】コネクタ収容凹部からコネクタが引き抜かれた状態を示す断面図
【手続補正３】
【補正対象書類名】明細書
【補正対象項目名】００８５
【補正方法】変更
【補正の内容】
【００８５】
本実施形態によれば、コネクタハウジング１２は、リテーナ１３が取り付けられるリテーナ収容凹部２４を有しており、コネクタハウジング１２は、挿入方向Ａについて前方に位置する前端部に、第１突部３２を受け入れる受け入れ孔部３９を有しており、受け入れ孔部３９はリテーナ収容凹部２４と連通している。
【手続補正４】
【補正対象書類名】明細書
【補正対象項目名】００８６
【補正方法】変更
【補正の内容】
【００８６】
上記の構成により、治具３１の第１突部３２が受け入れ孔部３９内に挿入されると、第１突部３２はリテーナ収容凹部２４内へも挿入されるようになっている。これにより、治具３１の第１当接部３０を受け入れ孔部３９に挿入するという簡易な操作により、リテーナ収容凹部２４内に収容されたリテーナ１３の第１突部３２と当接させることができる。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
データ再暗号化を介して機密データを保護するためのコンピュータ実施システムであって、
データ所有者の暗号化データを保持するためのデータベースであり、前記暗号化データは、前記暗号化データの根底にあるプレーンテキストの加算をサポートする特性を含み、前記データ所有者の公開鍵で暗号される、データベースと、
ユーザからのクエリを受信し、前記ユーザからの前記クエリを満たす前記暗号化データの少なくとも一部分を識別するプロセッサと、
中央処理装置、メモリ、前記クエリを受信する入力ポート、および出力ポートを備えるサーバであり、前記中央処理装置は、前記ユーザの公開鍵と、前記データ所有者の秘密鍵と、要素の集合から選択される２つのランダムな要素とを使用して前記暗号化データの前記識別された部分の再暗号化鍵を生成するように構成されている、サーバと、
中央処理装置、メモリ、前記データベースからの前記暗号化データの前記識別された部分および前記サーバからの前記再暗号化鍵を受信するための入力ポート、および、出力ポートを備えるさらなるサーバと
を備え、前記中央処理装置は、
前記再暗号化鍵を使用して前記暗号化データの前記識別された部分を再暗号化データとして再暗号化し、
前記クエリーに応答して、前記ユーザに前記再暗号化データを送信するように構成されている、システム。
【請求項２】
前記データ所有者に関連する前記秘密鍵及び前記ユーザの公開鍵のそれぞれを２つのセクションにパーシングし、前記２つのランダムな要素を選択し、前記２つのランダムな要素のうちの一つ、前記秘密鍵の第１のセクション、及び前記公開鍵の第１のセクションに基づいて前記再暗号化鍵の第１の部分を算出し、前記２つのランダムな要素のうちの他の一つ、前記秘密鍵の第２のセクション、及び前記公開鍵の第２のセクションに基づいて前記再暗号化鍵の第２の部分を算出し、前記第１の部分及び前記第２の部分を前記再暗号化鍵として結合することによって、再暗号化鍵を算出する再暗号化鍵生成器をさらに備える、請求項１に記載のシステム。
【請求項３】
前記ユーザの公開パラメータを生成し、前記公開パラメータの少なくとも１つを使用して前記公開鍵を生成するための公開鍵生成器をさらに備える、請求項１に記載のシステム。
【請求項４】
前記ユーザの秘密パラメータを生成し、前記秘密パラメータの少なくとも１つを使用して前記ユーザの秘密鍵を計算するための秘密鍵生成器をさらに備える、請求項１に記載のシステム。
【請求項５】
前記暗号化データの各データアイテムをセグメントへと分割し、各セグメントを、第１のブロックおよび第２のブロックを含む２つのブロックへとさらに分割し、前記データアイテム内の各セグメントから前記第１のブロックを収集して暗号文を生成し、前記データアイテム内の各セグメントから前記第２のブロックを収集して暗号文を生成し、そのデータアイテムの暗号化として、前記第１のブロックからの前記暗号文と前記第２のブロックからの前記暗号文とを組み合わせることによって、前記暗号化データの各アイテムを暗号化するためのメッセージ暗号化器をさらに備える、請求項１に記載のシステム。
【請求項６】
データ再暗号化を介して機密データを保護するためのコンピュータ実施方法であって、
データ所有者の暗号化データを保持するステップであり、前記暗号化データは、前記暗号化データの根底にあるプレーンテキストの加算をサポートする特性を含む、保持するステップと、
ユーザからのクエリを受信するステップと、
前記ユーザからの前記クエリを満たす前記暗号化データの少なくとも一部分を識別するステップと、
前記ユーザの公開鍵と、前記データ所有者の秘密鍵と、要素の集合から選択される２つのランダムな要素とを使用して前記暗号化データの前記識別された部分の再暗号化鍵を生成するステップと、
前記再暗号化鍵を使用して前記暗号化データの前記識別された部分を再暗号化データとして再暗号化するステップと、
前記ユーザに前記再暗号化データを前記クエリの結果として送信するステップと
を含む、方法。
【請求項７】
前記データ所有者に関連する前記秘密鍵及び前記ユーザの公開鍵のそれぞれを２つのセクションにパーシングするステップと、
前記２つのランダムな要素を選択するステップと、
前記２つのランダムな要素のうちの一つ、前記秘密鍵の第１のセクション、及び前記公開鍵の第１のセクションに基づいて前記再暗号化鍵の第１の部分を算出するステップと、
前記２つのランダムな要素のうちの他の一つ、前記秘密鍵の第２のセクション、及び前記公開鍵の第２のセクションに基づいて前記再暗号化鍵の第２の部分を算出するステップと、
前記第１の部分及び前記第２の部分を前記再暗号化鍵として結合するステップと、
をさらに含む、請求項６に記載の方法。
【請求項８】
前記ユーザの公開パラメータを生成するステップと、
前記公開パラメータの少なくとも１つを使用して前記公開鍵を生成するステップと
をさらに含む、請求項６に記載の方法。
【請求項９】
前記ユーザの秘密パラメータを生成するステップと、
前記秘密パラメータの少なくとも１つを使用して前記ユーザの秘密鍵を計算するステップと
をさらに含む、請求項６に記載の方法。
【請求項１０】
前記暗号化データの各データアイテムを暗号化するステップであって、
各データアイテムをセグメントへと分割するサブステップと、
各セグメントを、第１のブロックおよび第２のブロックを含む２つのブロックへとさらに分割するサブステップと、
前記データアイテム内の各セグメントから前記第１のブロックを収集して暗号文を生成するサブステップと、
前記データアイテム内の各セグメントから前記第２のブロックを収集して暗号文を生成するサブステップと、
そのデータアイテムの暗号化として、前記第１のブロックからの前記暗号文と前記第２のブロックからの前記暗号文とを組み合わせるサブステップと
を含む、暗号化するステップをさらに含む、請求項６に記載の方法。
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
遊技球が入球可能であり、遊技球が入球することにより賞球が払い出される複数の入賞口と、
遊技の進行を制御する主遊技部と、
情報を表示可能な情報表示部と
を備え、
主遊技部は、
前記複数の入賞口への遊技球の入球を検出し得る入球判定手段
を備え、
入球判定手段による検出結果に基づき、前記複数の入賞口への遊技球の入球に基づく情報である入球状態情報を生成し、当該生成した入球状態情報を情報表示部にて表示し得るよう構成されており、
前記入球状態情報を、表示内容が異なる複数の項目に分けて表示可能であり、
情報表示部に入球状態情報を表示する際は、所定期間毎に前記複数の項目に対応する入球状態情報を切り替えて表示するとともに、各項目を示唆する情報を入球状態情報と同時に表示するよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
遊技球が入球可能であり、遊技球が入球することにより賞球が払い出される複数の入賞口と、
遊技の進行を制御する主遊技部と、
情報を表示可能な情報表示部と
を備え、
主遊技部は、
前記複数の入賞口への遊技球の入球を検出し得る入球判定手段と、
入球判定手段による検出結果に基づき、前記複数の入賞口への遊技球の入球に基づく情報である入球状態情報を生成し、当該生成した入球状態情報を情報表示部にて表示し得るよう構成されており、
前記入球状態情報を、表示内容が異なる複数の項目に分けて表示可能であり、
情報表示部に入球状態情報を表示する際は、所定期間毎に前記複数の項目に対応する入球状態情報を切り替えて表示するとともに、各項目を示唆する情報を入球状態情報と同時に表示するよう構成されている
ことを特徴とする遊技機である。
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
遊技球が入球可能であり、遊技球が入球することにより賞球が払い出される複数の入賞口と、
情報を表示可能な情報表示部と、
遊技の進行を制御する主遊技部と
を備え、
主遊技部は、
前記複数の入賞口への遊技球の入球を検出し得る入球判定手段
を備え、
入球判定手段による検出結果に基づき、前記複数の入賞口への遊技球の入球に基づく情報である入球状態情報を生成し、当該生成した入球状態情報を情報表示部にて表示し得るよう構成されており、
入球状態情報が所定値を超過している場合には、入球状態情報を所定態様にて情報表示部に表示するよう構成されている
ことを特徴とする遊技機。
【手続補正２】
【補正対象書類名】明細書
【補正対象項目名】０００５
【補正方法】変更
【補正の内容】
【０００５】
本態様に係る遊技機は、
遊技球が入球可能であり、遊技球が入球することにより賞球が払い出される複数の入賞口と、
情報を表示可能な情報表示部と、
遊技の進行を制御する主遊技部と
を備え、
主遊技部は、
前記複数の入賞口への遊技球の入球を検出し得る入球判定手段
を備え、
入球判定手段による検出結果に基づき、前記複数の入賞口への遊技球の入球に基づく情報である入球状態情報を生成し、当該生成した入球状態情報を情報表示部にて表示し得るよう構成されており、
入球状態情報が所定値を超過している場合には、入球状態情報を所定態様にて情報表示部に表示するよう構成されている
ことを特徴とする遊技機である。
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
複数の電子部品を実装した基板を備える遊技機において、
前記複数の電子部品には、外観による識別が困難な識別困難電子部品を含んでおり、
前記識別困難電子部品は、透明部を有する電子部品であり、
前記基板の実装面のうちの前記識別困難電子部品の実装される領域の少なくとも一部には、前記識別困難電子部品のうちの特定の識別困難電子部品を識別可能にする標識印刷部が形成され、
前記標識印刷部は、前記特定の識別困難電子部品のみに対応して設けられ、当該標識印刷部の全域が所定の印刷パターンで印刷され、
前記所定の印刷パターンの少なくとも一部は、前記特定の識別困難電子部品が実装された状態でも前記透明部を通して視認可能とされ、
前記特定の識別困難電子部品を備えた基板は、該特定の識別困難電子部品が実装される実装面が暗色の絶縁皮膜で覆われ、当該暗色の絶縁皮膜の上に前記標識印刷部が明色で印刷されている、
ことを特徴とする遊技機。
【請求項２】
複数の電子部品を実装した基板を備える遊技機において、
前記複数の電子部品には、外観による識別が困難な識別困難電子部品を含んでおり、
前記識別困難電子部品は、透明部を有する電子部品であり、
前記基板の実装面のうちの前記識別困難電子部品の実装される領域の少なくとも一部には、前記識別困難電子部品のうちの特定の識別困難電子部品を識別可能にする標識印刷部が形成され、
前記標識印刷部は、前記基板上に唯一つ設けられる形態であって、当該標識印刷部の全域が所定の印刷パターンで印刷され、
前記所定の印刷パターンの少なくとも一部は、前記特定の識別困難電子部品が実装された状態でも前記透明部を通して視認可能とされ、
前記特定の識別困難電子部品を備えた基板は、該特定の識別困難電子部品が実装される実装面が暗色の絶縁皮膜で覆われ、当該暗色の絶縁皮膜の上に前記標識印刷部が明色で印刷されている、
ことを特徴とする遊技機。
【手続補正２】
【補正対象書類名】明細書
【補正対象項目名】０００２
【補正方法】変更
【補正の内容】
【０００２】
従来より、遊技機外から供給される外部電源に基づいて遊技装置に必要な各種電源を作
成することができる電源手段を備える遊技機が提案されている（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
特開２０１４−００８２２１号公報（図２）
【手続補正５】
【補正対象書類名】明細書
【補正対象項目名】０００５
【補正方法】変更
【補正の内容】
【０００５】
電源手段に実装される複数の部品のうち、注目すべき部品を特定することが難しいという問題があった。
【手続補正６】
【補正対象書類名】明細書
【補正対象項目名】０００６
【補正方法】変更
【補正の内容】
【０００６】
本発明は、このような事情に鑑みてなされたものであり、その目的とするところは、複
数の部品のうち、注目すべき部品を他の部品から識別することができる遊技機を提供する
ことにある。
【手続補正７】
【補正対象書類名】明細書
【補正対象項目名】０００８
【補正方法】変更
【補正の内容】
【０００８】
（解決手段１）
複数の電子部品を実装した基板を備える遊技機において、
前記複数の電子部品には、外観による識別が困難な識別困難電子部品を含んでおり、
前記識別困難電子部品は、透明部を有する電子部品であり、
前記基板の実装面のうちの前記識別困難電子部品の実装される領域の少なくとも一部には、前記識別困難電子部品のうちの特定の識別困難電子部品を識別可能にする標識印刷部が形成され、
前記標識印刷部は、前記特定の識別困難電子部品のみに対応して設けられ、当該標識印刷部の全域が所定の印刷パターンで印刷され、
前記所定の印刷パターンの少なくとも一部は、前記特定の識別困難電子部品が実装された状態でも前記透明部を通して視認可能とされ、
前記特定の識別困難電子部品を備えた基板は、該特定の識別困難電子部品が実装される実装面が暗色の絶縁皮膜で覆われ、当該暗色の絶縁皮膜の上に前記標識印刷部が明色で印刷されている、
ことを特徴とする遊技機。
（解決手段２）
複数の電子部品を実装した基板を備える遊技機において、
前記複数の電子部品には、外観による識別が困難な識別困難電子部品を含んでおり、
前記識別困難電子部品は、透明部を有する電子部品であり、
前記基板の実装面のうちの前記識別困難電子部品の実装される領域の少なくとも一部には、前記識別困難電子部品のうちの特定の識別困難電子部品を識別可能にする標識印刷部が形成され、
前記標識印刷部は、前記基板上に唯一つ設けられる形態であって、当該標識印刷部の全域が所定の印刷パターンで印刷され、
前記所定の印刷パターンの少なくとも一部は、前記特定の識別困難電子部品が実装された状態でも前記透明部を通して視認可能とされ、
前記特定の識別困難電子部品を備えた基板は、該特定の識別困難電子部品が実装される実装面が暗色の絶縁皮膜で覆われ、当該暗色の絶縁皮膜の上に前記標識印刷部が明色で印刷されている、
ことを特徴とする遊技機。
【手続補正８】
【補正対象書類名】明細書
【補正対象項目名】００１７
【補正方法】変更
【補正の内容】
【００１７】
本発明の遊技機においては、複数の部品のうち、注目すべき部品を他の部品から識別す
ることができる。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
開閉可能な開閉部を備えると共に遊技領域に設けられる受入口に遊技球が入球したことによる抽選の結果に基づいて遊技の進行を行うことができる遊技機であって、
電子部品が実装される基板と、
第１鍵を用いて前記開閉部の開閉に関する第１の操作を行うことができる第１の装置と、
前記第１鍵とは別の第２鍵を用いて遊技の設定に関する第２の操作を行うことができる第２の装置と、
を備え、
前記第１の装置は、当該遊技機の前面側から接触可能な箇所に設けられ、当該第１の装置の筐体が電気的にアース側へ接続され、
前記第２の装置は、当該遊技機の前面側から接触不能な箇所に設けられ、当該第２の装置の筐体が電気的に前記基板の回路グランドに接続される、
ことを特徴とする遊技機。
【手続補正２】
【補正対象書類名】明細書
【補正対象項目名】０００７
【補正方法】変更
【補正の内容】
【０００７】
本願発明は、
開閉可能な開閉部を備えると共に遊技領域に設けられる受入口に遊技球が入球したことによる抽選の結果に基づいて遊技の進行を行うことができる遊技機であって、
電子部品が実装される基板と、
第１鍵を用いて前記開閉部の開閉に関する第１の操作を行うことができる第１の装置と、
前記第１鍵とは別の第２鍵を用いて遊技の設定に関する第２の操作を行うことができる第２の装置と、
を備え、
前記第１の装置は、当該遊技機の前面側から接触可能な箇所に設けられ、当該第１の装置の筐体が電気的にアース側へ接続され、
前記第２の装置は、当該遊技機の前面側から接触不能な箇所に設けられ、当該第２の装置の筐体が電気的に前記基板の回路グランドに接続される、
ことを特徴とする。
また、本願発明とは別の発明として、以下の手段を参考的に開示する。
（解決手段１）
島設備に設置されると共に遊技盤を備える遊技機であって、前記遊技盤の後側には、複数種類の当選確率を設定可能状態し得る設定装置と、前記島設備からの未接続配線が前記設定装置へ接触することを防止し得る保護部材と、が設けられる、ことを特徴とする遊技機。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
開閉可能な開閉部を備えると共に遊技領域に設けられる受入口に遊技球が入球したことによる抽選の結果に基づいて遊技の進行を行うことができる遊技機であって、
電子部品が実装される基板と、
第１鍵の操作によって第１の操作を行うことができる第１の装置と、
前記第１鍵とは別の第２鍵の操作によって第２の操作を行うことができると共に前記第２鍵の操作による信号ラインが電気的に前記電子部品に接続される第２の装置と、
を備え、
前記第１の装置は、当該遊技機の前面側から接触可能な箇所に設けられ、当該第１の装置の筐体が電気的に接地側へ接続され、
前記第２の装置は、当該遊技機の前面側から接触不能な箇所に設けられ、当該第２の装置の筐体が電気的に接地側へ接続されず絶縁される、
ことを特徴とする遊技機。
【手続補正２】
【補正対象書類名】明細書
【補正対象項目名】０００７
【補正方法】変更
【補正の内容】
【０００７】
本願発明は、
開閉可能な開閉部を備えると共に遊技領域に設けられる受入口に遊技球が入球したことによる抽選の結果に基づいて遊技の進行を行うことができる遊技機であって、
電子部品が実装される基板と、
第１鍵の操作によって第１の操作を行うことができる第１の装置と、
前記第１鍵とは別の第２鍵の操作によって第２の操作を行うことができると共に前記第２鍵の操作による信号ラインが電気的に前記電子部品に接続される第２の装置と、
を備え、
前記第１の装置は、当該遊技機の前面側から接触可能な箇所に設けられ、当該第１の装置の筐体が電気的に接地側へ接続され、
前記第２の装置は、当該遊技機の前面側から接触不能な箇所に設けられ、当該第２の装置の筐体が電気的に接地側へ接続されず絶縁される、
ことを特徴とする。
また、本願発明とは別の発明として、以下の手段を参考的に開示する。
（解決手段１）
開閉可能な扉を前側に備える遊技機であって、電子部品が実装される基板と、第１鍵の操作によって第１の操作を行うことができる第１の装置と、前記第１鍵とは別の第２鍵の操作によって第２の操作を行うことができると共に前記第２鍵の操作による信号ラインが電気的に前記電子部品に接続される第２の装置と、を備え、前記第１の装置は、前記扉の前側に設けられ、当該第１の装置の筐体が電気的に接地側へ接続され、前記第２の装置は、前記扉より後側に設けられ、当該第２の装置の筐体が電気的に接地側へ接続されず絶縁される、ことを特徴とする遊技機。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
遊技領域に設けられる受入口に遊技球が入球したことによる抽選の結果に基づいて遊技の進行を行うことができる遊技機であって、
静電気放電により生ずるノイズを除去可能な除電部と、
前記抽選に関する設定情報を設定可能状態とし得る設定装置と、
を備え、
前記除電部と前記設定装置とのうち少なくとも当該設定装置が前記遊技機の後側に配置される、
ことを特徴とする遊技機。
【手続補正２】
【補正対象書類名】明細書
【補正対象項目名】０００７
【補正方法】変更
【補正の内容】
【０００７】
本願発明は、
遊技領域に設けられる受入口に遊技球が入球したことによる抽選の結果に基づいて遊技の進行を行うことができる遊技機であって、
静電気放電により生ずるノイズを除去可能な除電部と、
前記抽選に関する設定情報を設定可能状態とし得る設定装置と、
を備え、
前記除電部と前記設定装置とのうち少なくとも当該設定装置が前記遊技機の後側に配置される、
ことを特徴とする。
また、本願発明とは別の発明として、以下の手段を参考的に開示する。
（解決手段１）
遊技を行う遊技機であって、静電気放電により生ずるノイズを除去可能な除電部と、複数種類の当選確率を設定可能状態とし得る設定装置と、を備え、前記除電部と前記設定装置とのうち少なくとも当該設定装置が前記遊技機の後側に配置される、ことを特徴とする遊技機。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
複数の設定値のうちのいずれかの設定値に設定可能な設定手段と、
設定されている設定値にもとづいて前記有利状態に関する制御を実行可能な遊技制御手段と、
いずれの設定値に設定されたかを特定可能な設定値情報を出力可能な情報出力手段と、
前記情報出力手段から出力された設定値情報にもとづいて示唆演出を実行可能な演出実行手段と、
所定事象を検出する検出手段と、
前記検出手段により所定事象が検出されたことにもとづいて所定事象の発生を報知する報知手段と、を備え、
前記演出実行手段は、
前記情報出力手段から出力された設定値情報により特定される設定値が前記複数の設定値のうち遊技者にとって有利度が低い所定の設定値である場合、該所定の設定値よりも有利度が高い設定値である場合と比較して、低い割合により前記示唆演出を実行し、
前記情報出力手段から出力された設定値情報が正常でない場合、前記所定の設定値に対応した割合により前記示唆演出を実行し、
前記報知手段は、設定値を変更可能な設定変更状態であるときに所定事象の発生を報知しない
ことを特徴とする遊技機。
【手続補正２】
【補正対象書類名】明細書
【補正対象項目名】０００２
【補正方法】変更
【補正の内容】
【０００２】
設定操作にもとづいて複数段階の設定値のうちのいずれかの設定値に設定可能に構成され、設定されている設定値にもとづいて有利状態の制御を実行可能に構成されたパチンコ遊技機として、例えば、特許文献１に記載されたものがある。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２００９−２７９２４７号公報
【手続補正４】
【補正対象書類名】明細書
【補正対象項目名】０００４
【補正方法】変更
【補正の内容】
【０００４】
他方で、例えば、特許文献２には、センサを用いて磁石が遊技機近傍に存在するか否かを検出する構成が記載されており、このような構成を特許文献１に記載されたパチンコ遊技機に適用することが考えられる。しかしながら、単純に適用すると、設定値の変更等の操作がセンサの検出値（例えば基準値）に影響を及ぼし、誤検出が生じるおそれがある。
【手続補正５】
【補正対象書類名】明細書
【補正対象項目名】０００５
【補正方法】変更
【補正の内容】
【０００５】
この発明は、上記の実状に鑑みてなされたものであり、好適に所定事象の発生を報知することができる遊技機を提供することを目的とする。
【手続補正６】
【補正対象書類名】明細書
【補正対象項目名】０００６
【補正方法】変更
【補正の内容】
【０００６】
本発明による遊技機は、
遊技者にとって有利な有利状態（例えば、大当り遊技状態）に制御可能な遊技機であって、
複数の設定値（例えば、設定値「１」〜設定値「３」）のうちのいずれかの設定値に設定可能な設定手段（例えば、遊技制御用マイクロコンピュータ１００におけるステップ１３６ＩＷＳ０２９を実行する部分）と、
設定されている設定値にもとづいて前記有利状態に関する制御を実行可能な遊技制御手段（例えば、遊技制御用マイクロコンピュータ１００におけるステップＳ１１４〜Ｓ１１７を実行する部分）と、
いずれの設定値に設定されたかを特定可能な設定値情報を出力可能な情報出力手段と、
前記情報出力手段から出力された設定値情報にもとづいて示唆演出を実行可能な演出実行手段と、
所定事象を検出する検出手段（例えば、第１磁気検出器１３６ＩＷ１００や第２磁気検出器１３６ＩＷ１０１）と、
前記検出手段により所定事象が検出されたことにもとづいて所定事象の発生を報知する報知手段（例えば、遊技制御用マイクロコンピュータ１００が、ステップＳ２２のメイン側エラー処理において、第１磁気検出器１３６ＩＷ１００または第２磁気検出器１３６ＩＷ１０１からのエラー信号が磁界検出（磁石検出）に対応する状態（例えば、ハイレベル）になっている場合には、異常が検知されたことを報知するための異常報知処理を実行する）と、を備え、
前記演出実行手段は、
前記情報出力手段から出力された設定値情報により特定される設定値が前記複数の設定値のうち遊技者にとって有利度が低い所定の設定値である場合、該所定の設定値よりも有利度が高い設定値である場合と比較して、低い割合により前記示唆演出を実行し、
前記情報出力手段から出力された設定値情報が正常でない場合、前記所定の設定値に対応した割合により前記示唆演出を実行し、
前記報知手段は、設定値を変更可能な設定変更状態であるときに所定事象の発生を報知しない（例えば、遊技制御用マイクロコンピュータ１００は、設定変更処理が実行されている場合には、少なくとも設定変更処理が終了するまでは、磁気検出器ＣＴＲＬ信号を出力せず（図２１−７参照）、設定基板１３６ＩＷ３００は、磁気検出器ＣＴＲＬ信号が出力されるまで磁気検出器への電源供給を開始せず、基準値は、磁気検出器への電源供給が開始されるまで設定されない（図２１−２参照））
ことを特徴とする。
この特徴によれば、好適に所定事象の発生を報知することができる。
（１）また、遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
遊技価値を使用した遊技によって付与条件を満たすと、所定量の遊技価値を賞として遊技者に付与することが可能な遊技機において、
複数の遊技状態の何れかに制御することが可能な状態制御手段と、
遊技の実行に応じて遊技区間を切り替えることが可能な区間切替手段と、
１の遊技区間における所定の遊技状態となっている間の使用遊技価値量と付与遊技価値量とを用いて特定遊技情報を算出することが可能な情報算出手段と、
前記情報算出手段が算出した前記特定遊技情報を所定の表示手段に表示する情報表示手段と、を備え、
前記情報表示手段は、
現在の遊技区間における前記特定遊技情報を表示した後に表示切替時間が経過すると、１つ前の遊技区間における前記特定遊技情報を表示し、
現在の遊技区間における前記特定遊技情報の表示中に新たな遊技区間に切り替わった場合、前記表示切替時間が経過するまでは現在表示している前記特定遊技情報の表示を維持することを特徴とする遊技機。
【手続補正２】
【補正対象書類名】明細書
【補正対象項目名】０００７
【補正方法】変更
【補正の内容】
【０００７】
上記課題を解決するため本発明は、遊技価値を使用した遊技によって付与条件を満たすと、所定量の遊技価値を賞として遊技者に付与することが可能な遊技機において、複数の遊技状態の何れかに制御することが可能な状態制御手段と、遊技の実行に応じて遊技区間を切り替えることが可能な区間切替手段と、１の遊技区間における所定の遊技状態となっている間の使用遊技価値量と付与遊技価値量とを用いて特定遊技情報を算出することが可能な情報算出手段と、前記情報算出手段が算出した前記特定遊技情報を所定の表示手段に表示する情報表示手段と、を備え、前記情報表示手段は、現在の遊技区間における前記特定遊技情報を表示した後に表示切替時間が経過すると、１つ前の遊技区間における前記特定遊技情報を表示し、現在の遊技区間における前記特定遊技情報の表示中に新たな遊技区間に切り替わった場合、前記表示切替時間が経過するまでは現在表示している前記特定遊技情報の表示を維持することを特徴とする。
【手続補正書】
【提出日】令和2年9月3日(2020.9.3)
【手続補正１】
【補正対象書類名】特許請求の範囲
【補正対象項目名】全文
【補正方法】変更
【補正の内容】
【特許請求の範囲】
【請求項１】
シュードザイマ(Pseudozyma)属の担子菌系酵母を、硝酸塩を含むミネラル培地中で培養し、抗酸化物質を産生させることを特徴とする、抗酸化物質の製造方法。
【請求項２】
前記硝酸塩が硝酸ナトリウムまたは硝酸カリウムである、請求項１に記載の方法。
【請求項３】
前記硝酸塩を含むミネラル培地がさらにグルコースを含む、請求項１または２に記載の方法。
【請求項４】
上記酵母を培養した培地から上記抗酸化物質を回収することを特徴とする、請求項１〜３のいずれか一項に記載の方法。
【請求項５】
シュードザイマ(Pseudozyma)属酵母が、シュードザイマ・シャンキシエンシス(Pseudozyma shanxiensis)、シュードザイマ・アフィディス(P. aphidis)、又はシュードザイマ・ヒュベイエンシス(P. hubeiensis)であることを特徴とする、請求項１〜４のいずれか一項に記載の方法。
【手続補正２】
【補正対象書類名】明細書
【補正対象項目名】００１１
【補正方法】変更
【補正の内容】
【００１１】
本発明の実施例においては、上述のとおり、シュードザイマ(Pseudozyma)属酵母により抗酸化物質を産生させる培地としてミネラル培地を用いた。ミネラル培地には、酵母等の微生物の生育に必要な、窒素、リン、マグネシウムなどの成分が、特定の硝酸塩やアンモニウム塩、リン酸塩、マグネシウム塩などの形態で添加されている。本発明においては、窒素源として種々の硝酸塩、又はアンモニウム塩を含むミネラル培地を用いてPseudozyma属酵母を培養し、得られた培養上清の抗酸化活性を比較することにより、培地中に、窒素源として、硝酸アンモニウム、硫酸アンモニウム、塩化アンモニウムなどのアンモニウム態の窒素を含むよりも、硝酸ナトリウム、硝酸カリウムなどの硝酸態の窒素を含有することが好ましいことを見出した。またミネラル培地は、酵母エキスやグルコースを含むことができる。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
列車の駅間走行中における運転操作を支援する運転支援システムであって、前記列車の在線位置に応じた目標速度を決定する定速支援部と、前記列車の在線位置に応じた惰行位置を決定する惰行支援部と、前記列車の在線位置の精度である在線位置精度を出力する在線位置認識精度検出部と、運転支援情報を決定する支援情報決定部を備え、前記支援情報決定部は、前記在線位置精度が良好である場合に前記目標速度と前記惰行位置から前記運転支援情報を作成し、前記在線位置精度が良好ではない場合に前記目標速度のみで構成される前記運転支援情報を作成することを特徴とする運転支援システム
【請求項２】
請求項１に記載の運転支援システムであって、前記在線位置認識精度検出部は、前記在線位置の変化率に基づいて前記在線位置精度が良好であるかどうか判定することを特徴とする運転支援システム。
【請求項３】
請求項１乃至請求項２のいずれか一つに記載の運転支援システムであって、前記在線位置認識精度検出部は、前記在線位置の変化に基づいて算出される加速度が、前記列車の駆動力により発生しうる最大の加速度以下のとき前記在線位置精度が良好であると判定し、前記在線位置の変化に基づいて算出される加速度が、前記列車の駆動力により発生しうる最大の加速度を超えるとき前記在線位置精度が良好ではないと判定することを特徴とする運転支援システム。
【請求項４】
請求項１乃至請求項３のいずれか一つに記載の運転支援システムであって、前記在線位置認識精度検出部は、走行中の速度軌跡に基づいて前記在線位置精度が良好であるかどうか判定することを特徴とする運転支援システム。
【請求項５】
請求項１乃至請求項４のいずれか一つに記載の運転支援システムであって、前記在線位置認識精度検出部は、複数の位置検知手段による検知結果の照合結果に基づいて前記在線位置精度が良好であるかどうか判定することを特徴とする運転支援システム。
【請求項６】
請求項１乃至請求項５のいずれか一つに記載の運転支援システムであって、前記在線位置認識精度検出部は、空転または滑走の履歴に基づいて前記在線位置精度が良好であるかどうか判定することを特徴とする運転支援システム。
【請求項７】
請求項１乃至請求項６のいずれか一つに記載の運転支援システムであって、前記在線位置認識精度検出部は、乗務員からの入力に基づいて前記在線位置精度が良好であるかどうか判定することを特徴とする運転支援システム。
【請求項８】
請求項１乃至請求項７のいずれか一つに記載の運転支援システムであって、前記在線位置認識精度検出部は、前記列車の在線位置を補正したとき前記在線位置精度を良好であると判定することを特徴とする運転支援システム。
【請求項９】
請求項１乃至請求項８のいずれか一つに記載の運転支援システムであって、前記運転支援情報に基づき、制駆動装置への制駆動指令を計算する制駆動指令演算部を備えることを特徴とする運転支援システム。
【請求項１０】
請求項１乃至請求項９のいずれか一つに記載の運転支援システムであって、前記運転支援情報に基づき、目標速度と惰行タイミングを表示する表示器を備えることを特徴とする運転支援システム。
【手続補正２】
【補正対象書類名】明細書
【補正対象項目名】００１０
【補正方法】変更
【補正の内容】
【００１０】
上記課題を解決するために、代表的な本発明の運転支援システムは、列車の駅間走行中における運転操作を支援する運転支援システムであって、前記列車の在線位置に応じた目標速度を決定する定速支援部と、前記列車の在線位置に応じた惰行位置を決定する惰行支援部と、前記列車の在線位置認識の精度である在線位置認識精度を出力する在線位置認識精度検出部と、運転支援情報を決定する支援情報決定部を備え、前記支援情報決定部は、前記在線位置認識精度が良好である場合に前記目標速度と前記惰行位置から前記運転支援情報を作成し、前記在線位置認識精度が良好ではない場合に前記目標速度のみで構成される前記運転支援情報を作成すること、を特徴とする運転支援システム、である。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
磁界を生成する固定子と、該固定子からの磁界によって駆動される回転子とを備えた誘導電動機であって、
前記回転子は、
回転軸に設けられた鉄心と、
前記鉄心に設けられた複数のスロット内に挿入された複数の導体バーと、
前記複数の導体バーの一端に接続された第１リングと、
前記複数の導体バーの他端に接続された第２リングとを備え、
前記鉄心と前記第１リングとの間および前記鉄心と前記第２リングとの間には間隙があり、
前記複数の導体バーは、前記複数のスロットから前記間隙を亘って前記第１または前記第２リングに接続されており、
前記導体バーの長手方向に対する垂直断面は、前記回転子の外周側にある第１面と、該回転子の内周側にある第２面と、前記第１面と前記第２面との間にある複数の側面と、少なくとも前記間隙において前記第１面と前記複数の側面との間に該第１面および前記複数の側面に対して傾斜する傾斜面とを有する多角形であり、
前記傾斜面は、前記第１面に対して１０度〜４０度の角度で傾斜している、誘導電動機。
【請求項２】
前記第１面に対して平行方向における前記傾斜面の幅は、前記鉄心の外周側に設けられ前記スロットに連通するスロット開口部から前記第１面に対して平行方向における前記スロットのコーナ部までの幅以下である、請求項１に記載の誘導電動機。
【請求項３】
前記第１面に対して平行方向における前記傾斜面の幅は、０．５ｍｍ以上である、請求項１または請求項２に記載の誘導電動機。
【請求項４】
前記傾斜面は、前記間隙において露出されている部分に設けられており、前記スロット内に挿入されている部分には設けられていない、請求項１から請求項３のいずれか一項に記載の誘導電動機。
【請求項５】
前記傾斜面は、前記間隙において露出されている部分、および、前記スロット内に挿入されている部分の両方に設けられている、請求項１から請求項３のいずれか一項に記載の誘導電動機。
【請求項６】
前記スロットの長手方向に対する垂直断面は、前記回転子の外周側にある第１内面と、該回転子の内周側にある第２内面と、前記第１内面と前記第２内面との間にある複数の内側面と、前記第１内面と前記複数の内側面との間に該第１内面および前記複数の内側面に対して傾斜する内傾斜面とを有する多角形である、請求項１から請求項５のいずれか一項に記載の誘導電動機。
【請求項７】
前記スロットの内傾斜面は、前記第１面に対する前記導体バーの傾斜面の傾斜角と略等しい角度で前記第１内面に対して傾斜している、請求項６に記載の誘導電動機。